(57)【要約】遺伝子マッピングのための新規な集団、上記集団を作出する方法、およびある表現型を調節する遺伝子座の効率的な同定のために上記集団を用いる方法。また、ある表現型を調節する遺伝子座と非遺伝因子の間の相互作用を同定する方法も提供される。さらに、遺伝子、遺伝子ネットワーク、および非遺伝因子の中で上位関係を決定する方法も提供される。
2004520820.tif 000002
【特許請求の範囲】
【請求項１】
表現型を調節する遺伝子座を同定する方法であって、
(a)遺伝的に多様な個体の再生可能な集団を準備し、
(b)その表現型を示す遺伝的に多様な個体の再生可能な集団内の個体のゲノムをマッピングし、それによりその表現型を調節する遺伝子座を同定する
ことを含む、方法。
【請求項２】
遺伝的に多様な個体の再生可能な集団が
(a)組換え近交系の相互交配によって作出された個体；
(b)組換え近交系の戻し交配によって作出された個体；
(c)遺伝的に多様な個体のクローン集団；または
(d)遺伝的に多様な個体に由来する細胞株パネル
を含む、請求項１に記載の方法。
【請求項３】
遺伝的に多様な個体の再生可能な集団の個体が二倍体、四倍体、もしくは倍数体生物、またはそれらに由来する細胞を含む、請求項１に記載の方法。
【請求項４】
当該生物が動物および植物からなる群から選択される、請求項３に記載の方法。
【請求項５】
当該動物が哺乳類である、請求項４に記載の方法。
【請求項６】
当該哺乳類が齧歯類である、請求項５に記載の方法。
【請求項７】
当該齧歯類がマウスである、請求項６に記載の方法。
【請求項８】
当該組換え近交系が約500未満の系統を含む、請求項２に記載の方法。
【請求項９】
当該組換え近交系が約100未満の系統を含む、請求項８に記載の方法。
【請求項１０】
当該組換え近交系がマウスAXB、BXA、CXB、およびBXD系統からなる群から選択される1以上の組換え近交系を含む、請求項２に記載の方法。
【請求項１１】
当該組換え近交系が少なくとも3系統の非組換え親系統に由来する組換え近交系を含む、請求項２に記載の方法。
【請求項１２】
当該組換え近交系が少なくとも4系統の非組換え親系統に由来する組換え近交系を含む、請求項１１に記載の方法。
【請求項１３】
当該組換え近交系が少なくとも8系統の非組換え親系統に由来する組換え近交系を含む、請求項１２に記載の方法。
【請求項１４】
当該の少なくとも3系統の非組換え親系統がマウスC57BL/6、BALB/c、C3H、A、129、およびDBA/2系統からなる群から選択される1以上の非組換え親系統を含む、請求項１１に記載の方法。
【請求項１５】
当該クローン集団または細胞株パネルが組換え近交系の相互交配、組換え近交系の戻し交配、F2集団、または天然集団に由来する、請求項２に記載の方法。
【請求項１６】
当該組換え近交系が少なくとも3系統の非組換え親系統に由来する組換え近交系を含む、請求項１５に記載の方法。
【請求項１７】
当該組換え近交系が少なくとも4系統の非組換え親系統に由来する組換え近交系を含む、請求項１６に記載の方法。
【請求項１８】
当該組換え近交系が少なくとも8系統の非組換え親系統に由来する組換え近交系を含む、請求項１７に記載の方法。
【請求項１９】
当該マッピングが遺伝的に多様な個体の再生可能な集団において分離する遺伝子多型の解析を含む、請求項１に記載の方法。
【請求項２０】
当該表現型が可視的表現型、生理学的表現型、行動表現型、感受性表現型、細胞表現型、分子表現型、およびそれらの組合せからなる群から選択される、請求項１に記載の方法。
【請求項２１】
当該分子表現型が遺伝子発現レベル、スプライス選択、タンパク質レベル、タンパク質タイプ、タンパク質修飾、脂質レベル、脂質タイプ、脂質修飾、炭水化物レベル、炭水化物タイプ、炭水化物修飾、およびそれらの組合せからなる群から選択される、請求項２０に記載の方法。
【請求項２２】
当該表現型がある非遺伝因子によって調節される、請求項１に記載の方法。
【請求項２３】
当該表現型が2以上の非遺伝因子間の相互作用によって調節される、請求項２２に記載の方法。
【請求項２４】
当該非遺伝因子が環境条件または薬剤曝露である、請求項２２に記載の方法。
【請求項２５】
当該表現型がある遺伝子座と、ある非遺伝因子との間の相互作用によって調節される、請求項１に記載の方法。
【請求項２６】
当該非遺伝因子が環境条件または薬剤曝露である、請求項２５に記載の方法。
【請求項２７】
表現型を調節する2以上の遺伝子座を同定することをさらに含む、請求項１に記載の方法。
【請求項２８】
遺伝的に多様な個体の再生可能な集団を作出する方法であって、
(a)組換え近交系を相互交配する；
(b)組換え近交系を戻し交配する；
(c)遺伝的に多様な個体の集団をクローニングする；または
(d)遺伝的に多様な個体に由来する細胞株パネルを作成する
ことを含む、方法。
【請求項２９】
遺伝的に多様な個体の再生可能な集団の個体が二倍体、四倍体、もしくは倍数体生物、またはそれらに由来する細胞を含む、請求項２８に記載の方法。
【請求項３０】
当該生物が動物および植物からなる群から選択される、請求項２９に記載の方法。
【請求項３１】
当該動物が哺乳類である、請求項３０に記載の方法。
【請求項３２】
当該哺乳類が齧歯類である、請求項３１に記載の方法。
【請求項３３】
当該齧歯類がマウスである、請求項３２に記載の方法。
【請求項３４】
当該組換え近交系が約500未満の系統を含む、請求項２８に記載の方法。
【請求項３５】
当該組換え近交系が約100未満の系統を含む、請求項３４に記載の方法。
【請求項３６】
当該組換え近交系がマウスAXB、BXA、CXB、およびBXD系統からなる群から選択される1以上の組換え近交系を含む、請求項２８に記載の方法。
【請求項３７】
当該組換え近交系が少なくとも3系統の非組換え親系統に由来する組換え近交系を含む、請求項２８に記載の方法。
【請求項３８】
当該組換え近交系が少なくとも4系統の非組換え親系統に由来する組換え近交系を含む、請求項３７に記載の方法。
【請求項３９】
当該組換え近交系が少なくとも8系統の非組換え親系統に由来する組換え近交系を含む、請求項３８に記載の方法。
【請求項４０】
当該の少なくとも3系統の非組換え親系統がマウスC57BL/6、BALB/c、C3H、A、129、およびDBA/2系統からなる群から選択される1以上の非組換え親系統を含む、請求項３７に記載の方法。
【請求項４１】
当該クローン集団または細胞株パネルが組換え近交系の相互交配、組換え近交系の戻し交配、F2集団、または天然集団に由来する、請求項２８に記載の方法。
【請求項４２】
当該組換え近交系が少なくとも3系統の非組換え親系統に由来する組換え近交系を含む、請求項４１に記載の方法。
【請求項４３】
当該組換え近交系が少なくとも4系統の非組換え親系統に由来する組換え近交系を含む、請求項４２に記載の方法。
【請求項４４】
当該組換え近交系が少なくとも8系統の非組換え親系統に由来する組換え近交系を含む、請求項４３に記載の方法。
【請求項４５】
請求項２８に記載の方法によって作出される遺伝的に多様な個体の再生可能な集団。
【請求項４６】
ある遺伝子座とある非遺伝因子の間の相互作用(この相互作用はある表現型を調節する)を同定する方法であって、
(a)遺伝的に多様な個体の再生可能な集団を準備し；
(b)その再生可能な集団に対して非遺伝因子を準備し；
(c)その表現型を示す個体のゲノムをマッピングし、それにより、ある表現型を調節する、遺伝子座と非遺伝因子の間の相互作用を同定する
ことを含む、方法。
【請求項４７】
遺伝的に多様な個体の再生可能な集団が
(a)組換え近交系の相互交配によって作出された個体；
(b)組換え近交系の戻し交配によって作出された個体；
(c)遺伝的に多様な個体のクローン集団；または
(d)遺伝的に多様な個体に由来する細胞株パネル
を含む、請求項４６に記載の方法。
【請求項４８】
当該表現型が可視的表現型、生理学的表現型、行動表現型、感受性表現型、細胞表現型、分子表現型、およびそれらの組合せからなる群から選択される、請求項４６に記載の方法。
【請求項４９】
当該分子表現型が遺伝子発現レベル、スプライス選択、タンパク質レベル、タンパク質タイプ、タンパク質修飾、脂質レベル、脂質タイプ、脂質修飾、炭水化物レベル、炭水化物タイプ、炭水化物修飾、およびそれらの組合せからなる群から選択される、請求項４８に記載の方法。
【請求項５０】
2以上の遺伝子座と、ある非遺伝因子との間の相互作用を同定することをさらに含む、請求項４６に記載の方法。
【請求項５１】
ある遺伝子座と2以上の非遺伝因子の間の相互作用を同定することをさらに含む、請求項４６に記載の方法。
【請求項５２】
当該非遺伝因子が環境条件または薬剤曝露である、請求項４６に記載の方法。
【請求項５３】
2以上の遺伝子座と2以上の非遺伝因子の間の相互作用を同定することをさらに含む、請求項４６に記載の方法。
【請求項５４】
表現型を調節する遺伝子座間で上位の相互作用を同定する方法であって、
(a)遺伝的に多様な個体の第一の再生可能な集団を準備し；
(b)ある表現型を示すその第一の再生可能な集団の個体を同定し；
(c)(b)の個体のゲノムをマッピングし、それにより、その表現型を調節する第一の遺伝子座を同定し；
(d)(c)で同定された第一の遺伝子座が一定に保持されている第二の遺伝的に多様な個体の再生可能な集団を確立し；
(e)遺伝的に多様な個体の第二の再生可能な集団の中でその表現型を示す個体を同定し；
(f)(e)の個体のゲノムをマッピングし、それにより、第一の遺伝子座と上位の相互作用をしてその表現型を調節する第二の遺伝子座を同定する
ことを含む、方法。
【請求項５５】
遺伝子ネットワーク間で上位の相互作用を同定することをさらに含む、請求項５４に記載の方法。
【請求項５６】
組換え近交系を作出する方法であって、
(a)少なくとも3系統の非組換え近交系親系統を相互交配させ組換え雑種を作出し；
(b)組換え雑種を一世代以上相互交配させて遺伝的に多様な組換え個体を作出し；
(c)各組換え個体を同系交配させて組換え近交系を作出する
ことを含む、方法。
【請求項５７】
当該組換え近交系が少なくとも4系統の非組換え親系統に由来する組換え近交系を含む、請求項５６に記載の方法。
【請求項５８】
当該組換え近交系が少なくとも8系統の非組換え親系統に由来する組換え近交系を含む、請求項５７に記載の方法。
【請求項５９】
請求項５６に記載の方法によって作出される組換え近交系。
【発明の詳細な説明】
【０００１】
（関連出願のクロスリファレンス）
本願は2000年12月1出願の米国仮出願出願番号60/250,706に基づき、その優先権を主張するものであり、その全内容は出典明示により本明細書の一部とする。
【技術分野】
【０００２】
本発明は遺伝子マッピングのための新規な集団、上記集団を作出する方法、およびある表現型を調節する遺伝子座の効率的な同定のために上記集団を用いる方法に関する。また、ある表現型を調節する遺伝子座と非遺伝因子の間の相互作用を同定する方法も提供される。さらに、遺伝子または遺伝子ネットワークの中で上位関係を決定する方法も提供される。
【０００３】
2004520820.tif 000003
【背景技術】
【０００４】
ある形質をその形質をつかさどる遺伝子と結びつけることができれば遺伝病の新しい診断法および治療法の機会が得られる。遺伝子マッピング法における目下の試みは複合形質遺伝子座を同定することである。従来のアプローチでは複合形質遺伝子を十分同定することができておらず、違った結果が得られることも多い。主な障害は検出された遺伝子座に対する高いマッピング分解能を達成することにある。
【０００５】
多くの複合形質の遺伝成分はオリゴジーン(主働遺伝子)であるか、ポリジーン(多遺伝子)であり、寄与する各々の遺伝子は弱い作用しか持たない。1つの遺伝子の個々の作用は小さいが、他の遺伝子および／または環境との相互作用がその形質の発現に実質的に寄与する。遺伝子マッピングのアプローチにおいてこのような相互作用が認識および考慮できなければ個々の遺伝子の作用は覆い隠されてしまうことがある。既存の遺伝子マッピングの方法論は一般に、小さな遺伝ノイズを達成する大きなサンプルサイズか、あるいは小さな環境ノイズを達成する再生可能な近交系集団かによるものであって、両方というものはない。また、このような集団では遺伝子座および非遺伝因子の双方によって調節される表現型を信頼性をもって考慮するものではない。
【０００６】
遺伝子マッピング解析は標的遺伝子の検出の段階的な解明を含む。典型的な実験では標的遺伝子座および遺伝子多型の連鎖解析を用いる。最初のゲノム全域スキャンは一般に二世代戻し交配または相互交配を用いて行う。この後代を遺伝子型解析し、およそ20cM間隔、すなわち標的遺伝子座がのっているマウス染色体の約1/4を定義する。次に区間マッピング、またはその区間内の他の遺伝子多型を用いて連鎖解析を行うこの技術の変法を用いてマップの位置を割り出す。小さな染色体区間内の候補遺伝子のさらなる評価については、マッピングの分解能および小さな作用を有する遺伝子座の検出能によってその困難さは様々である。高分解能マッピングに対する現在のアプローチとしては、選択的表現型解析(selective phenotyping, SP)、組換え後代試験(recombinant progeny testing, RPT)、区間特異的コンジェニック系統(interval-specific congenic strains, ISCS)、および組換え近交系分離試験(recombinant inbred segregation test, RIST)があり、各々は以下に記載されている。これらのアプローチ間での大きな違いはマッピングする集団のデザインである。Darvasi (1998) Nat Genetics 18(1):19-24参照。
【０００７】
選択的表現型解析は大きなF2集団または戻し交配集団を含み、それまでに定義されている区間内の組換え体である個体を表現型解析のために選択する。その中でさらに小さな区間を定義し、所望によりもう一度解析してそのさらに小さな区間内で組換え体を評価する。このアプローチは大きな作用を有する形質遺伝子座に対して、また、約5cMを超えない分解能が必要とされる場合、また、多数の交配を許容するよう広範なリソースを利用できる場合に効果的である。しかしながらF2マッピング集団は再生できず、環境変動によって調節される表現型を考慮できないことから解釈が限定されることが多い。
【０００８】
組換え後代試験は戻し交配によって作出された集団を用いる遺伝子マッピングを伴う。着目する領域に識別可能な組換え染色体を有する個体を一方の親系統と交配させ、組換え点に対する標的遺伝子座の位置を決定する。これは優性作用を有する遺伝子座を同定するには効果的な方法であるが、異なる集団に見られる遺伝子変異体による調節は考慮することができない。
【０００９】
もう1つの遺伝子マッピングアプローチとしては、小さな染色体セグメントに関してのみ互いに異なる系統である区間特異的コンジェニック系統を用いる。 この方法によれば、まず、既知の区間内の組換えの現象をもとにして組換え後代を選択する。次に、組換え個体を親系統に数回戻し交配し、その形質に影響を及ぼす他の全ての遺伝子座でドナー親系統に由来する対立遺伝子を除く。その後、後代を相互交配させ、組換えハプロタイプに関する同型接合体を選択して区間特異的コンジェニック系統を確立する。例えば、Darvasi (1997) Mamm Genome 8:163-167およびDemant et al. (1986) Immunogenetics 24:416-422参照。この方法論では弱いまたは小さな作用の詳細マッピングが可能である。しかし、標的遺伝子座を分離集団から選択できないため、一定の遺伝子作用および環境作用が結果を混乱させることがある。
【００１０】
組換え近交系分離試験(RIST)も小さな作用を検出することができるが、着目する領域内に組換えを有する組換え近交系が使用できる必要がある。RIST集団を作出するには、組換え近交系を各親近交系に戻し交配する。得られたF1集団については戻し交配と相互交配の双方を行う。標的遺伝子座はすでに組換え近交系の組換え部位付近にマッピングされているので、それはF2または戻し交配集団において分離する。標的遺伝子座の位置を組換え部位をもとに表す。RI系統パネルを考慮して、正確な結果ならば、その遺伝子座は各組換え近交系の相対的な組換え部位によって定義される小区間にマッピングされる。このF1集団を戻し交配または相互交配させた後には、各動物は自然交配または人工交配によっては再現できない独特な組換え遺伝子型を有する。
【００１１】
遺伝子マッピング研究は自然集団のような最大の遺伝的多様性を有する集団を用い、多様な環境条件で同じ集団を評価できることが理想的である。自然集団は遺伝的に多様な個体を含み、各遺伝子型は独特なものである。しかし、この独特な遺伝子型は自然交配または人工交配によっては再現できないことから、環境作用は効率的に制御することができない。
【００１２】
このように当技術分野における目下の、また長年の必要性として、より効率的で、複合形質遺伝子座を検出する能力の向上およびマッピング分解能の向上をもたらすマッピング戦略の開発がある。本発明はどんな形質であれ、超高分解能遺伝子マッピングのための新規なマッピング集団を開示し、従って、これに対する当技術分野における目下の、また長年の必要性に取り組むものである。
【００１３】
（発明の概要）
本発明はある表現型を調節する遺伝子座を同定する方法を提供する。本方法によれば、遺伝子マッピングのための遺伝的に多様な個体の再生可能な集団 が提供される。ある表現型を示す遺伝的に多様な個体の再生可能な集団内の個体のゲノムをマッピングし、それによりその表現型を調節する遺伝子座を同定する。
【００１４】
本発明はさらに、ある遺伝子座とある非遺伝因子の間の相互作用(この相互作用はある表現型を調節する)を同定する方法を提供する。本方法によれば、遺伝的に多様な個体の再生可能な集団を作出し、その再生可能な集団に対して非遺伝因子を準備する。その表現型を示す個体のゲノムをマッピングし、それにより、その非遺伝因子と相互作用してその表現型を調節する遺伝子座を同定する。この遺伝的に多様な個体の再生可能な集団は本発明の方法により作出するのが好ましい。開示される、遺伝子座と非遺伝因子の間の相互作用を同定する方法はまた、2以上の遺伝子座または非遺伝因子間の相互作用(その相互作用はある表現型を調節する)も包含する。
【００１５】
本発明はさらに、ある表現型を調節する遺伝子座間の上位の相互作用を同定する方法も提供する。本方法は遺伝的に多様な個体の第一の再生可能な集団を準備することを含む。ある表現型を示す、この第一の再生可能な集団内の個体を同定し、かかる個体の遺伝子マッピングにより、その表現型を調節する遺伝子座を同定する。第一の遺伝子座が一定に保持されている遺伝的に多様な個体の第二の再生可能な集団を作出する。この遺伝的に多様な個体の第二の再生可能な集団内の個体を同定する。かかる個体の遺伝子マッピングにより、第一の遺伝子座と上位の相互作用をしてその表現型を調節する第二の遺伝子座を同定する。
【００１６】
本発明の方法はいずれかの二倍体、四倍体、または倍数体個体集団の遺伝子座のマッピングに使用できる。好ましい集団の個体は動物もしくは植物、またはそれらに由来する細胞である。より好ましくは動物は哺乳類であり、いっそう好ましくは哺乳類は齧歯類であり、なおいっそう好ましくは齧歯類はマウスである。
【００１７】
本発明の方法によれば、遺伝的に多様な個体の再生可能な集団は、(a)組換え近交系の相互交配によって作出された個体；(b)組換え近交系の戻し交配によって作出された個体；(c)遺伝的に多様な個体のクローン集団；または(d)遺伝的に多様な個体に由来する細胞株パネルを含みうる。
【００１８】
本発明のある実施形態では、遺伝的に多様な個体の再生可能な集団は組換え近交系の相互交配によって得られる。相互交配の場合、好ましくは組換え近交系の起こりうる全ての正逆ペアの組合せを考慮するのが好ましく、n系統の組換え近交系の集団ならばn(n-1)個体の再生可能な集団ができる。
【００１９】
本発明のもう1つの実施形態では、遺伝的に多様な個体の再生可能な集団は組換え個体をクローニングすることによって作出する。本発明のなおもう1つの実施形態では、遺伝的に多様な個体の再生可能な集団は遺伝的に多様な個体に由来する細胞株パネルを含む。好ましくはこのクローン集団または細胞株パネルは組換え近交系の相互交配、組換え近交系の戻し交配、F2集団、または天然集団に由来する。
【００２０】
記載の本発明の実施形態の各々では、組換え近交系は好ましくは約500未満の系統、より好ましくは約100未満の系統を含む。代表的な組換え近交系としては、限定されるものではないが、マウスAXB、BXA、CXB、およびBXD系統に属するものが挙げられる。
【００２１】
この組換え近交系は少なくとも3系統の非組換え親系統、好ましくは少なくとも4系統の非組換え親系統、より好ましくは少なくとも8系統の非組換え親系統の相互交配によって作出することができる。代表的な非組換え親系統としては、限定されるものではないが、マウスC57BL/6、BALB/c、A、129、およびDBA/2系統が挙げられる。
【００２２】
本発明の方法を用いてマッピングできる好ましい表現型としては、限定されるものではないが、可視表現型、生理学的表現型、行動表現型、感受性表現型、細胞表現型、分子表現型、およびそれらの組合せが挙げられる。好ましい分子表現型としては、限定されるものではないが、遺伝子発現レベル、スプライス選択、タンパク質レベル、タンパク質タイプ、タンパク質修飾、脂質レベル、脂質タイプ、脂質修飾、炭水化物レベル、炭水化物タイプ、炭水化物修飾、およびそれらの組合せが挙げられる。表現型はさらにある非遺伝因子、2以上の非遺伝因子間の相互作用、またはある遺伝子座とある非遺伝因子の間の相互作用によって調節されるものとして特定することもできる。好ましい非遺伝因子としては環境条件または薬剤曝露がある。
【００２３】
本発明はさらに、遺伝的に多様な個体の再生可能な集団を作出する方法を提供する。本方法によれば、再生可能な集団は、(a)組換え近交系の相互交配；(b)組換え近交系の戻し交配；(c)遺伝的に多様な個体集団のクローニング；または(d)遺伝的に多様な個体に由来する細胞株パネルの作成により作出される。また、開示の方法によって作出される遺伝的に多様な個体の再生可能な集団も提供される。
【００２４】
本発明はまた、組換え近交系親系統を作出する方法も提供する。本法によれば、3以上の非組換え近交系を相互交配させて組換え雑種を作出する。好ましくは少なくとも4系統の非組換え近交系親系統を用い、より好ましくは少なくとも8系統の非組換え近交系親系統を用いる。この組換え雑種を一世代以上相互交配させて遺伝的に多様な組換え個体の集団を作出する。次に、各々の遺伝的に多様な組換え個体を同系交配させて組換え近交系を作出する。本発明はまた、開示の方法によって作出される組換え近交系も提供する。
【００２５】
本発明の1つの目的は新規な多様な個体集団および、どんな選択形質であれ、超高分解能遺伝子マッピングのためにそれを用いる方法を提供することにある。この目的は本発明により全部または部分的に満たされている。
【００２６】
本明細書の上記に挙げられた本発明の目的のいくつか、その他の目的は添付の図面および以下に最良のものとして記載される実施例を参照して説明を読めば明らかになる。
【００２７】
図面の簡単な説明
図１は、組換え近交系の相互交配を用いて遺伝的に多様な個体の再生可能な集団を作出するためのアプローチの原型を示す。非組換え親系統を交配して組換え後代を作出し、次いでこれを同系交配する。得られた集団は多様なn個体の組換え近交系親(例えば、組換え近交系)を含む。次に、この組換え近交系親を相互交配してn(n-1)個体の組換型の遺伝的に多様な個体(例えば、RIX雑種)を作出する。この組換え型の遺伝的に多様な個体の集団は組換え近交系親間で相互交配を繰り返すことによって再生できる。
図２は、遺伝的に多様な個体の再生可能な集団を用いる遺伝子マッピング能の数式を示す。本発明のマッピング集団はRIの相互交配によって作出されたRIX雑種を含む。この集団は遺伝ノイズおよび環境ノイズを最小化し、それによってRIおよびF2マッピング集団の利点を併せ持っている。yは個体の形質値であり；aは集団の平均形質値であり；bは遺伝子強度または対立遺伝子置換作用であり；xは標的遺伝子の遺伝子型であり；bxは形質
値に対する標的遺伝子の作用であり；bixiは非標的遺伝子iの作用である。
図３は、遺伝的に多様な個体の再生可能な集団(■)、または同じ個体数の組換え近交系集団(▲)を用いた標的遺伝子の検出能を図示する。このシミュレーションでは、表現型は単一の第二の遺伝子座が寄与する表現型の全分散の13％(矢印)に相当する高い環境ノイズおよび一定のバックグラウンド遺伝ノイズを有している。標的遺伝子が表現型の全分散の13%を占めている場合には、遺伝的に多様な個体の再生可能な集団を用いる標的遺伝子の検出能は組換え近交系集団に比べ約5倍大きい。
図４は、QTL解析(実施例2に記載)に用いたRIX集団のグリッド表示である。13の独立したCXB RI系統、CXB1、CXB2、CXB3、CXB4、CXB5、CXB6、CXB7、CXB8、CXB9、CXB10、CXB11、CXB12およびCXB13を表示した。CXB組換え近交系を相互交配してCXB組換え近交系雑種(CXB RI雑種)を作出した。各相互交配について、父方の遺伝子型をx軸で示し(「父方」と表示)、母方の遺伝子型をy軸で示している(「母方」と表示)。相互交配によって作出したCXB RIX雑種はグリッド内の長方形のブロックで示し、各ブロックの位置が特定の父方の遺伝子型および特定の母方の遺伝子型を示す。体重のQTL解析(実施例3)に用いた組換え近交系雑種数が各ブロック内に記載されている。体重のQTL解析はCXB RI親であるBALB/ByJ、CB6ByF1およびC57BL/6ByJを用いても実施した(実施例3)。この解析に含まれるCXB RI親の数は、一番上の欄の各CXB RI親遺伝子型の隣に表示されている。
図５は、示唆される体重との関連を示す、マウス第4染色体上の遺伝子座(D5Mit372)を示す染色体マップである。実施例3に記載されるように、この遺伝子座はCXB RI親のQTL解析により同定されたものである。垂直線はLODスコアであり、黒いプロットは尤度比統計量であり、グレーのプロットは付加作用である。
図６Ａ−６Ｃは、体重に関連する、マウス第4、第6および第12染色体上の遺伝子座を示す染色体マップである。実施例3に記載されるように、この遺伝子座はRIX雑種のQTL解析により同定されたものである。
図６Ａは、体重と有意に関連する、マウス第4染色体上の遺伝子座を示す染色体マップである。実施例3に記載されるように、この遺伝子座はRIX雑種のQTL解析により同定されたものであり、RI親のQTL解析によって同定された遺伝子座(D5Mit372)に相当する。図５参照。垂直線はLODスコアであり、黒いプロットは尤度比統計量であり、グレーのプロットは付加作用であり、(●)のプロットは優性作用である。
図６Ｂは、体重と有意に関連する、マウス第6染色体上の2つの遺伝子座を示す染色体マップである。実施例3に記載されるように、これらの遺伝子座はRIX雑種のQTL解析により同定されたものである。垂直線はLODスコアであり、黒いプロットは尤度比統計量であり、グレーのプロットは付加作用であり、(●)のプロットは優性作用である。
図６Ｃは、体重と有意に関連する、マウス第12染色体上の遺伝子座を示す染色体マップである。実施例3に記載されるように、この遺伝子座はRIX雑種のQTL解析により同定されたものである。垂直線はLODスコアであり、黒いプロットは尤度比統計量であり、グレーのプロットは付加作用であり、(●)のプロットは優性作用である。
図７は、示唆される脳重との関連を示す、マウス第11染色体上の遺伝子座を示す染色体マップである。実施例4に記載されるように、この遺伝子座はCXB RI親のQTL解析により同定されたものである。垂直線はLODスコアであり、黒いプロットは尤度比統計量であり、グレーのプロットは付加作用である。
図８Ａ−８Ｂは、脳重と関連する、マウス第5および第11染色体1上の遺伝子座を示す染色体マップである。実施例4に記載されるように、これらの遺伝子座はRIX雑種のQTL解析により同定されたものである。
図８Ａは、示唆される脳重との関連を示す、マウス第5染色体上の遺伝子座を示す染色体マップである。実施例4に記載されるように、この遺伝子座はRIX雑種のQTL解析により同定されたものである。緑色の垂直線はLODスコアであり、黒いプロットは尤度比統計量であり、赤色のプロットは付加作用であり、青色のプロットは優性作用である。
図８Ｂは、脳重と有意に関連する、マウス第11染色体上の遺伝子座を示す染色体マップである。実施例4に記載されるように、この遺伝子座はRIX雑種のQTL解析により同定されたものであり、RI親のQTL解析によって同定した遺伝子座に相当する。図７参照。緑色の垂直線はLODスコアであり、黒いプロットは尤度比統計量であり、赤色のプロットは付加作用であり、青色のプロットは優性作用である。
図９は、CXB RIX雑種における海馬重のグリッド表示である。13の独立したCXB RI系統、CXB1、CXB2、CXB3、CXB4、CXB5、CXB6、CXB7、CXB8、CXB9、CXB10、CXB11、CXB12およびCXB13を表示した。CXB組換え近交系を相互交配してCXB組換え近交系雑種(CXB RIX)を作出した。各相互交配について、父方の遺伝子型をx軸で示し(「父方」と表示)、母方の遺伝子型をy軸で示している(「母方」と表示)。相互交配によって作出したRIX雑種はグリッド内の長方形のブロックで示し、各ブロックの位置が特定の父方の遺伝子型および特定の母方の遺伝子型を示す。特定の遺伝子型のRIX雑種の平均海馬重がブロック内に示されている。比較のために、海馬重のQTL解析はCXB RI親であるBALB/cByJおよびC57BL/6ByJを用いても実施した。この解析に含まれる各CXB RI親遺伝子型の海馬重は、一番上の欄の各遺伝子型の隣に表示されている。ブロックで囲んだものは海馬重が有意に異なるRIX雑種正逆ペアに相当する。
【００２８】
（発明の詳細な説明）
本発明は遺伝的に多様な個体の再生可能な集団を作出する方法、およびある表現型を調節する遺伝子座の効率的なマッピングのためのかかる集団を用いる方法を開示する。また、遺伝因子と非遺伝因子の間、または遺伝子ネットワーク間の相互作用(この相互作用はある表現型を調節する)を同定する方法も開示する。本発明はさらに、遺伝的に多様な個体の再生可能な集団に由来する細胞株または関連のいずれかの多様な細胞集団を用いる細胞に基づく遺伝子マッピング法を開示する。
【００２９】
I.  定義
以下の用語は当業者には十分理解されていると考えられるが、本発明の説明を助けるため以下の定義を示す。
【００３０】
I.A.  集団
「集団」とは、いずれかの個体群をさす。
【００３１】
「個体」とは、いずれかの二倍体もしくは倍数体生物、またはそれに由来する細胞をさす。
【００３２】
「同系繁殖体」とは近縁個体の交配によって得られる実質的な同質遺伝子型個体をいう。「同系交配」とは、近縁個体の交配を繰り返すことをさす。
【００３３】
「同質遺伝子系統」とは、全ての遺伝子座で遺伝的に同一な個体の集団をさす。
【００３４】
「非組換え近交系」とは、どの個体も全ての遺伝子座で遺伝的に同一である近交系をさす。
【００３５】
「組換え近交系」とは、本明細書「RI」と略記するが、関連のない2系統の近交系親系統に由来する近交系をさす。個々のRI系統は複数の遺伝子座に様々なパターンの択一的対立遺伝子を有する遺伝子の特徴的な組合せを有する。
【００３６】
「コンジェニック系統」とは、小さな染色体セグメントに関してのみ互いに異なる系統をさす。コンジェニック系統は、択一的対立遺伝子が全て限られた染色体区間にのっている組換え近交系である。組換えコンジェニック系統は親系統に対する一連の戻し交配とその後の同系交配によって作出される(Allard et al., 1966; Demant & Hart, 1986)。区間特異的コンジェニック系統は特定の1cM間隔での組換え体である(Darvasi, 1997)。
【００３７】
「染色体置換系統」および「コンソミック系統」とは各々、1つの染色体が第二の近交系、すなわちドナー系B由来の対応する染色体に置き換わっていること以外は第一の近交系、すなわちホスト系Aと同じ近交系をさす。染色体置換系統は択一的対立遺伝子が全て1つの置換染色体にのっている組換え近交系である。Nadeau et al. (2000) Nat Genet 24:221-225参照。
【００３８】
「相互交配」とは、選択された遺伝子座で各々異型接合となっている個体の交配をさす。「相互交配」は、相互交配した子孫の次世代間の交配を意味する「アドバンスト・インタークロス(advanced intercross)」を包含する。「相互交配」および「アドバンスト・インタークロス」は、相互交配後代を作出するための交配または人工受精を含むものと考えられる。好ましい人工受精または人工繁殖法としては、限定されるものではないが、クローニング、試験管受精、または細胞質内精子注入が挙げられる。人工受精の方法は、Nakagata (2000) Mamm Genome 11:572-576; Thornton et al. (1999) Mamm Genome 10:987-992; Loutradis et al. (2000) Ann N Y Acad Sci 900:325-335;および米国特許第5,453,366号、同第5,541,081号、同第5,849,713号に開示のものなど、当技術分野で周知のものである。
【００３９】
略号「RIX」は組換え近交系間の相互交配をさす。
【００４０】
「戻し交配」とは、子孫とその親の一方、またはその親の一方と遺伝的に同じ個体の間の交配をさす。「戻し交配」は、戻し交配後代と、前の世代に由来する同系交配後代または前の世代に由来する同系交配後代と遺伝的に同じ個体の間の交配を意味する「アドバンスト・バッククロス(advanced backcross)」を包含する。「戻し交配」または「アドバンスト・バッククロス」は戻し交配後代を作出するための交配または人工受精を含むものと考えられる。人工受精または人工繁殖の好ましい方法としては、限定されるものではないが、クローニング、試験管受精、または細胞質内精子注入が挙げられる。人工授精の方法は当技術分野で周知のものである(Thornton et al., 1999; Loutradis et al., 2000; Nakagata, 2000;米国特許第5,453,366号;同第5,541,081号;同第5,849,713号)。
【００４１】
「天然集団」とは、天然に存在する、通常、交配ペアの実験的選択をはじめとする介入のない個体群をさす。
【００４２】
「F2集団」とは、F1個体の相互交配、人工授精、または自家受精によって作出された後代をさす。なお、「F1個体」とは、雑種第一代をいう。
【００４３】
I.B.  遺伝子マッピング
「マッピング」、「遺伝子マッピング」、「ゲノムマッピング」または「遺伝子型解析」とは各々、遺伝子多型を用いて組換え頻度から、遺伝子座の位置を表す方法をさす。マッピング法の結果はマップ単位またはモルガンで表される。
【００４４】
「多型」とは、ある集団内に2以上の遺伝的に同定された択一的配列または対立遺伝子が存在することをさす。対立遺伝子の違いは一塩基対といった小さなものであってもよい。
【００４５】
「モルガン」または「マップ単位」とは各々、ある染色体上の遺伝子間の相対的距離を表す単位をさす。1モルガン単位(M)は100%の組換え頻度を示す。センチモルガン(cM)は1%の組換え頻度を示す。「組換え頻度」とは、組換え体の数を後代総数で割ったものである。
【００４６】
本明細書において「能力」とは、ある遺伝子座を検出する、またはマッピングする確率をさす。能力は好ましくは80%、より好ましくは90%、いっそう好ましくは95%、なおいっそう好ましくは99%である。検出能は標的遺伝子の強度に相関し、そのマッピング集団の遺伝ノイズおよび環境ノイズが低い場合に最適なものとなる。逆に、検出能は遺伝ノイズおよび環境ノイズにより低下する。
【００４７】
遺伝子マッピングに関して「標的遺伝子」とは、表現型に寄与する遺伝子座にのっている遺伝子をさす。
【００４８】
「強度」および「標的遺伝子の強度」とは各々、ある表現型にある単一の遺伝子が寄与するパーセンテージをさす。遺伝子強度はその遺伝子座を遺伝学的に検出しやすいかどうかに関わる。相対的に強い標的遺伝子は検出しやすい。相対的に弱い作用を有する遺伝子は複合形質に寄与し、環境ノイズによって覆い隠される場合が多い。
【００４９】
本明細書において「遺伝ノイズ」または「遺伝的バックグラウンド」または「残余遺伝子型」とは各々、遺伝的バリエーションのレベルをさす。遺伝子マッピング実験において、遺伝ノイズは遺伝的多様性と逆の相関にある。例えば、遺伝ノイズは特有の表現型の数が限られているために、組換え近交系集団では有意となる。遺伝ノイズのレベルは式：
遺伝ノイズ=Σbixi
｛式中、bは遺伝子強度または対立遺伝子置換作用を表し、xは遺伝子型を表し、Iは非標的遺伝子の数を表す｝
により示すことができる。このように遺伝ノイズはある表現型に寄与する全ての非標的遺伝子座における対立遺伝子置換作用の合計を表す。遺伝子マッピングの最大感度のためには遺伝ノイズは0に近づけるのが最適である。
【００５０】
本明細書において「環境ノイズ」または「環境バックグラウンド」とは各々、環境バリエーションのレベルをさす。遺伝子マッピング実験において、環境ノイズは同じ遺伝子型の実験的複製と逆の相関にある。例えば、環境ノイズはF2集団のように全ての固体が特有なものである場合には有意となる。遺伝子マッピングの最大感度のためには環境ノイズは0に近づけるのが最適である。
【００５１】
「上位の相互作用」とは、非対立遺伝子座間、遺伝子ネットワーク間、または1以上の遺伝子座と1以上の非遺伝因子の間での非相互的相互作用をさす。従って「上位」とは、線形および非線形双方の相互作用を包含する。
【００５２】
本明細書において遺伝子座の位置(例えば、cM)、標的遺伝子の強度、能力などの測定可能な値に関する場合の「約」とは、特定の値から±20%または±10%、より好ましくは±5%、いっそう好ましくは±1%、なおいっそう好ましくは±0.1%の変動を含むことを意味し、変動自体は開示の方法を実施するのに適当なものである。
【００５３】
I.C.  形質
「表現型」または「形質」とは各々、ある生物の遺伝子型と環境との相互作用によって作り出される、その生物の観測可能ないずれかの特性をさす。表現型にはその表現型の様々な表現度および浸透度が含まれる。表現型の例としては、限定されるものではないが、可視的表現型、生理学的表現型、行動表現型、感受性表現型、細胞表現型、分子表現型、およびそれらの組合せが挙げられる。
【００５４】
「表現度」とは、所定の一連の環境条件下で実験した場合に、特定の遺伝子型の個体によって示される表現型の程度または強度をさす。
【００５５】
「浸透度」とは、所定の一連の環境条件下で実験した場合に、選択された遺伝子型を示す特定の遺伝子型の個体の割合をさす。
【００５６】
「分子表現型」とは、細胞または生物において検出可能な分子の特徴をさす。分子表現型の例としては、限定されるものではないが、遺伝子発現レベル、スプライス選択、タンパク質レベル、タンパク質タイプ、タンパク質修飾、脂質レベル、脂質タイプ、脂質修飾、炭水化物レベル、炭水化物タイプ、炭水化物修飾、およびそれらの組合せが挙げられる。分子表現型を観測、検出および定量する方法は当業者に周知である。Ausubel (ed.) (1995) Short Protocols in Molecular Biology, 3rd ed. Wiley, New York; Bodanszky (1993) Principles of Peptide Synthesis, 2nd rev. ed. Springer-Verlag, Berlin/New York; Harlow & Lane (1988) Antibodies: A Laboratory Manual. Cold Spring Harbor Laboratory Press, Cold Spring Harbor, New York; Innis (1990) PCR Protocols: A Guide to Methods and Applications. Academic Press, San Diego; Koduri & Poola (2001) Steroids 66:17-23; Landegren et al. (1988) Science 242:229-237; Regan et al. (2000) Anal Biochem 286:265-276; Sambrook et al. (1989) Molecular Cloning: A Laboratory Manual. Cold Spring Harbor Laboratory Press, Cold Spring Harbor, New York; Silhavy et al. (1984) Experiments with Gene Fusions. Cold Spring Harbor Laboratory, Cold Spring Harbor, New York;および米国特許第6,096,555号;同第5,958,624;および同第5,629,158号参照。
【００５７】
「感受性表現型」とは、ある表現型を示す能力またはリスクの上昇をさす。
【００５８】
本明細書において「複合形質」とは、従来のメンデル遺伝学によって推定されるようには遺伝しない形質をさす。複合形質は各々その表現型に寄与する複数の遺伝子の相互作用によるものである。複合形質は連続的なものである場合もあるし、限界浸透度を示す場合もある。
【００５９】
「オリゴジーン形質」とは、各々は弱い作用しか持たない数個の遺伝子によって決定される複合形質をさす。
【００６０】
「ポリジーン形質」とは、各々は弱い作用しか持たない多くの遺伝子によって決定される複合形質をさす。
【００６１】
「遺伝子ネットワーク」および「遺伝ネットワーク」は各々、ある表現型を共働して作り出す働きをする2つ以上の遺伝子のセットをさす。遺伝子ネットワークは複合形質遺伝子座を含む。
【００６２】
「量的形質」とは、量的に評価できる複合形質である。定量は値の連続分布にわたる形質の測定を含む。
【００６３】
遺伝子形質に関して「作用」とは、ある表現型の発現における個々の遺伝子の寄与をさす。遺伝子の作用は、例えば大小の作用など量的に表すこともできるし、あるいはある表現型に対して個々の遺伝子座が寄与するパーセンテージとして定量してもよい。
【００６４】
表現型に関して「調節する」とは、その表現型に寄与する遺伝因子または非遺伝因子の作用をさす。調節は、その表現型発現度または浸透度からの促進または低下でありうる。あるいは、またそれに加えて、調節はある表現型の特定の特徴の付加または削除であってもよい。調節的寄与は最終的に検出可能である限り、劇的なものであっても微細なものであってもよい。
【００６５】
遺伝学に関して「分離」とは、遺伝的交配の後代の間で対立遺伝子の選別をさし、ある表現型を有する個体が識別できる。「分離形質」とは、遺伝的交配から得られた後代の部分集団において識別可能な表現型をさす。
【００６６】
I.D.  非遺伝因子
「非遺伝因子」とは、ある表現型を調節する遺伝子型を除いたいずれかの条件をさす。非遺伝因子はいずれの環境要素であってもよく、限定されるものではないが、生息条件、活動または運動レベル、食餌、薬剤処理、およびそれらの組合せが挙げられる。
【００６７】
「薬剤」とは、生きている生物の物理機能、生理機能、行動機能、精神機能、細胞機能または分子機能に作用するいずれかの物質である。薬剤は化学化合物、タンパク質、ペプチド、脂質、炭水化物、核酸、他のいずれかの生物活性剤、およびそれらの組合せでありうる。
【００６８】
II.  遺伝的に多様な個体の再生可能な集団の作出
「遺伝的に多様な個体の再生可能な集団」とは、忠実に再生可能であり、かつ、その集団内の個体は遺伝的に多様であるが、ありうる遺伝子型の限られたレパートリーしか含まない集団をさす。
【００６９】
本明細書において「個体」とは、ある生物またはそれに由来する細胞をさす。その集団はいずれの二倍体、四倍体、または倍数体個体も含みうる。好ましくはその再生可能な集団の個体は動物または植物である。好ましい動物は哺乳類であり、より好ましくは齧歯類であり、いっそう好ましくはマウスである。
【００７０】
本発明のある実施形態では、遺伝的に多様な個体の再生可能な集団は組換え近交系の相互交配により作出する。好ましくはこの組換え近交系はn個の系統を含み、これを用い、組換え近交系の起こりうる全ての正逆ペアの組合せを表すn(n-1)個体を含む遺伝的に多様な個体の再生可能な集団を作出する(図1)。
【００７１】
本発明のもう1つの実施形態では、遺伝的に多様な個体の再生可能な集団は組換え近交系と親の非組換え近交系の戻し交配または人工授精によって作出する。
【００７２】
本発明のもう1つの実施形態では、遺伝的に多様な個体の再生可能な集団は遺伝的に多様な個体のクローニングによって作出する。遺伝的に多様な個体としては、限定されるものではないが、組換え近交系の相互交配によって作出された集団、組換え近交系の戻し交配によって作出された集団、F2集団、または天然集団の個体が挙げられる。クローニング方法は当業者に周知である。米国特許第5,994,619号;同第6,011,197号および同第6,107,543号; Sun & Moor (1995) Curr Top Dev Biol 30:147-176; Cibelli et al. (1998) Science 280:1256-1258; Wilmut et al. (1997) Nature 385:810-813; Wakayama et al. (2000) Nature 407:318-319; Wakayama et al. (1999) Proc Natl Acad Sci U S A 96:14984-14989; Wakayama et al. (1998) Nature 394:369-374;およびDiBerardino (1997) Genomic Potential of Differentiated Cells. Columbia University Press, New York参照。
【００７３】
本発明のもう1つの実施形態では、遺伝的に多様な個体の再生可能な集団は遺伝的に多様な個体に由来する細胞株パネルを含む。限定されるものではないが、組換え近交系の相互交配によって作出された集団、組換え近交系の戻し交配によって作出された集団、F2集団、または天然集団をはじめ、いずれの遺伝的に多様な個体の集団を用いてもよい。生物を含むF2集団に対し、それらに由来する細胞株を含む集団は環境ノイズの制御の向上をもたらす。細胞株を作出する方法は、米国特許第4,707,448号;同第5,643,782号;および同第5,114,847号;ならびにPCT国際公報WO98/58050に開示されているように当技術分野で周知のものである。遺伝子マッピングには25の異なる細胞株のパネルを用いるのが好ましく、少なくとも100の異なる細胞株を用いるのがより好ましい。
【００７４】
記載の実施形態の各々では、組換え近交系は好ましくは約500未満の系統、より好ましくは約100未満の系統を含む。しかし、本発明のマッピング法は使用する組換え系統の数に限定されるものではなく、500を超える系統、例えば1000、2000または5000系統のRI系統、あるいは開示の方法によってQTL遺伝子座の同定が可能な限りいずれの数のRI系統も使用できる。代表的な組換え近交系のタイプとしては、限定されるものではないが、コンジェニック系統および染色体置換系統が挙げられる。組換え近交系の例としては、限定されるものではないが、マウスAXB、BXA、CXB、およびBXD系統に属するものが挙げられる(Lyon et al., 1996)。
【００７５】
組換え近交系は少なくとも3系統の非組換え近交系、より好ましくは少なくとも4系統の非組換え近交系、いっそう好ましくは少なくとも8系統の非組換え近交系の由来する。非組換え親系統の例としては、限定されるものではないが、マウスC57BL/6、BALB/c、A、129、およびDBA/2系統が挙げられる(Lyon et al., 1996)。
【００７６】
本発明はまた、組換え近交系親系統を作出する方法を提供する。本方法によれば、非組換え近交系を相互交配させて組換え雑種を作出する。この組換え雑種を一世代以上相互交配させて遺伝的に多様な組換え個体の集団を作出する。各組換え個体を同系交配させて組換え近交系を作出する。少なくとも4系統の非組換え近交系親系統を用いるのが好ましく、少なくとも8系統の非組換え近交系親系統を用いるのがより好ましい。この方法は組換え近交系を作出する初期段階で同型接合性のゲノムセグメントのレベルを引き下げる。本発明はまた、開示の方法によって作出された組換え近交系も提供する。このような組換え系統は現在利用できる系統よりも高い生産性またはより高い検出可能な組換え頻度を有するという特徴がある。
【００７７】
開示されるマッピングアプローチの新規な態様はマッピング集団の特徴にある。遺伝子マッピングのための既存の集団に対し、遺伝的に多様な個体の再生可能な集団、または多様な集団に由来する個体を表す細胞株パネルは、最小の遺伝ノイズならびに環境ノイズを特徴とする(図2)。組換え近交系は通常用いられる、実質的に環境ノイズが低いマッピング集団であるが、検出能は低い遺伝的多様性によって覆い隠される。これに対し、F2集団の個体間の比較的高い遺伝的多様性は低い遺伝ノイズを示すが、高い環境ノイズにより遺伝子座の検出は難しい。
【００７８】
本発明の方法に従って使用できる代表的なRIX雑種集団が実施例２に示されている。好ましくはQTLに用いるRIX雑種集団はQTL検出を最適化するのに十分な数の遺伝的に多様なRIX雑種個体を含む。例えば、RIX雑種集団は約100の組換え近交系親間、または約500の組換え近交系親間で起こりうる全てのペア交配を行うことによって得られた集団を含む。
【００７９】
III.  ある表現型を調節する遺伝子座の同定
本発明はまた、遺伝的に多様な個体の再生可能な集団を用いて、ある表現型を調節する遺伝子座を同定する方法も開示する。この開示の方法はある表現型を調節する2以上の遺伝子座の同定も包含する。
【００８０】
体重および脳重に関連する遺伝子座を同定する代表的な方法がそれぞれ実施例3および4に記載されている。RIX雑種を用いるマッピング法はRI親を用いる方法に比べ、関連する遺伝子座の検出感度の向上を示す。
【００８１】
好ましい表現型としては、限定されるものではないが、可視的表現型、生理学的表現型、行動表現型、感受性表現型、細胞表現型、分子表現型、およびそれらの組合せが挙げられる。好ましい分子表現型としては、限定されるものではないが、遺伝子発現レベル、スプライス選択、タンパク質レベル、タンパク質タイプ、タンパク質修飾、脂質レベル、脂質タイプ、脂質修飾、炭水化物レベル、炭水化物タイプ、炭水化物修飾、およびそれらの組合せが挙げられる。表現型はさらに、ある非遺伝因子、2以上の非遺伝因子間の相互作用、ある遺伝子座とある非遺伝因子の間の相互作用、または2以上の遺伝子座と非遺伝因子の間の相互作用によって調節されるものとして特徴付けることができる。好ましい非遺伝因子としては環境条件または薬剤曝露がある。
【００８２】
遺伝子マッピングの技術は、連鎖解析(例えば(Wells & Brown, 2000))、連鎖不平衡解析(Kruglyak, 1999)、レストリクション・ランドマーク・ゲノミック・スキャニング(restriction landmark genomic scanning, RLGS)(Akiyoshi et al., 2000)、およびラジエイション・ハイブリッド・マッピング(radiation hybrid mapping)(Schuler et al., 1996; Van Etten et al., 1999)をはじめ、当業者に周知のものである。適当なマッピング技術はいずれでも使用でき、当業者ならば、特定の選択が不可欠であるわけではない、あるいは本発明の限定となるわけではないことが分かるであろう。
【００８３】
好ましい遺伝子マッピングの方法として連鎖解析があり、これにより、ある表現型が、限定されるものではないが、制限断片長多型(RFLP)(Lander & Botstein, 1989)、ショートタンデムリピート多型(STRP)、短配列長多型(short sequence length polymorphism)(SSLP)(Dietrich et al., 1996)、マイクロサテライトマーカー(Schalkwyk et al., 1999)、および単一ヌクレオチド多型(SNP)(Brookes, 1999)をはじめとする1以上の検出可能な多型と関連づけられる。
【００８４】
好ましい連鎖解析技術としてはSNPの検出がある。哺乳類ゲノムのSNPマーカー密度は配列1kb当たりSNP約1と見積もられる。Collins et al. (1998) Genome Res 8:1229-1231参照。SNPを分類するには、相同ハイブリダイゼーションアッセイ(Livak et al., 1995)、オリゴヌクレオチド連結アッセイ(Chen et al., 1998)、マトリックス支援レーザー脱離飛行時間型マススペクトロメトリー(matrix-assisted laser desorption time-of-flight mass spectrometry, MALDI-TOF)(Kwok, 1998; Ross et al., 1998)、高速液体クロマトグラフィー(HPLC)(Schriml et al., 2000)、蛍光偏光(Chen et al., 1999)、アレイに基づく技術(Cronin et al., 1996; Hacia et al., 1996; Pastinen et al., 1997; Gentalen & Chee, 1999; Sapolsky et al., 1999)、ピロミニシーケンシング(Nyren et al., 1993)、およびインベーダー法(Griffin et al., 1999; Lyamichev et al., 1999)をはじめ、いくつかのアプローチが使用できる。また、Landegren et al. (1998) Genome Res 8:769-776も参照。
【００８５】
好ましいSNP検出法としては、ハイスループットおよびマルチプレックス形式にも利用できることから、アレイに基づくオリゴヌクレオチドハイブリダイゼーションおよびミニシーケンシングであり、本明細書でさらに説明する。オリゴヌクレオチドマイクロアレイまたはチップは、例えばAFFYMETRIX(登録商標)システム(Affymax Corporation of Greenford Middlesex, Great Britain)を用い、スライドグラス上でオリゴヌクレオチドを写真平板法で合成することによって製造することができる。Fodor et al. (1991) Science 251:767-773および米国特許第5,445,934号参照。あるいは、オリゴヌクレオチドマイクロアレイは、スライドその他の固相支持体の表面にオリゴヌクレオチドを自動的にグリッドすることにより(Schena et al., 1996)、または固相支持体にオリゴヌクレオチドを分配するインクジェット技術を用いて製造することもできる(米国特許第5,965,352号)。いずれの方法にしても、特定のSNPはSNPを有するオリゴヌクレオチドのアレイ中での位置で特定される。ハイブリダイゼーションアッセイを用いてSNPを検出するには、試験ゲノムのゲノム断片をPCRにより増幅し、その断片が検出できるように標識する。試験ゲノムのSNPは、アレイ中の特定の位置で検出可能なヘテロらせん構造が形成されることで特定する。チップ上でミニシーケンシング反応を行うには、試験ゲノムのゲノム断片をPCRを用いて増幅し、オリゴヌクレオチドマイクロアレイとハイブリダイズさせる。このハイブリダイズオリゴヌクレオチドアレイ上で、標識されたヌクレオチドを含むプライマー伸張反応を行う。試験ゲノムのSNPは、上手くプライマー伸張反応が起こったものを標識ヌクレオチドを検出することによってアッセイすることで同定される。あるいは、SNPは予めPCRを行わなくとも固相支持体で増幅させることで検出することもできる。
【００８６】
遺伝的に多様な固体の再生可能な集団におけるSNPの検出により、遺伝子座を1cM間隔内にマッピングすることが可能となる。この超高分解能マッピングは約50の遺伝子を含むおよそ106塩基対の領域を定義する。本発明の方法により、現行のマッピングアプローチに比べ、検出能の向上が可能となる(図3)。
【００８７】
QTLマッピング解析のシミュレーションが実施例1に示されている。このシミュレーションにより、RI集団でのQTL検出能に比べ、RIX雑種集団でのQTL検出能が有意に高いことが明らかである。体重および脳重を制御する遺伝子座を同定する代表的なQTLマッピング解析がそれぞれ実施例3および4に記載されている。その後のQTLバリデーション法の代表的なものは実施例5に記載されている。実施例6に記載されているように、RIX雑種を用いたQTLマッピングを用いて親の作用遺伝子座を調べることもできる。
【００８８】
遺伝子マップの位置に基づくリージョナル・クローニングは当技術分野で公知の方法を用いてその遺伝子座にのっている遺伝子をクローニングするのに使用できる。あるいは、組み込み遺伝子および物理的マップのフレームワークを用いてそのマッピング位置に1以上の遺伝子を表示してもよい。Klysik et al. (1999) Genomics 62:123-128参照。
【００８９】
IV.  遺伝子座と非遺伝因子の間の相互作用
本発明はさらに、ある遺伝子座とある非遺伝因子の間の相互作用(この相互作用はある表現型を調節する)を同定する方法を提供する。この方法によれば、遺伝的に多様な個体の再生可能な集団を作出し、その再生可能な集団に対して非遺伝因子を準備する。その表現型を示す個体のゲノムをマッピングして、その表現型を調節する非遺伝因子と相互作用する遺伝子座を同定する。好ましくは、本明細書の上記で開示したように、本発明の方法により遺伝的に多様な個体の再生可能な集団を作出する。
【００９０】
開示される、ある遺伝子座とある非遺伝因子の間の相互作用を同定する方法は、2以上の遺伝子座または非遺伝因子間の相互作用(この相互作用はある表現型を調節する)も包含する。
【００９１】
V.  上位の相互作用
本発明はさらに、ある表現型を調節する遺伝子座間で上位の相互作用を同定する方法を提供する。本方法は第一の遺伝的に多様な個体の再生可能な集団を準備することを含む。ある表現型を示すこの第一の再生可能な集団内の個体を同定し、このような個体の遺伝子マッピングによって、その表現型を調節する遺伝子座を同定する。第一の遺伝子座が一定に保持されている第二の遺伝的に多様な個体の再生可能な集団を作出する。この第二の遺伝的に多様な個体の再生可能な集団内の個体を同定する。かかる個体の遺伝子マッピングにより、その表現型を調節する第一の遺伝子座と上位の相互作用をする第二の遺伝子座を同定する。また、上位の相互作用は遺伝因子と非遺伝因子の間でも起こりうる。さらに、上位の相互作用は可視的表現型、生理学的表現型、行動表現型、感受性表現型、細胞表現型、分子表現型、およびそれらの組合せの間でも起こりうる。
【００９２】
VI.  遺伝子マップデータベース
本発明はまた、検索可能な形式で遺伝子マッピング情報を保存するリレーショナルデータベースシステムも提供する。関連する遺伝子マッピング情報としては、限定されるものではないが、マッピング集団の説明、アッセイした表現型、SNPその他の多型を用いた連鎖解析データ、アッセイした非遺伝因子、遺伝子座と非遺伝因子の間の相互作用、上位関係、ならびに遺伝子マップおよび物理的マップのアライメントが挙げられる。リレーショナルデータベースには関連する生物における研究、好ましくはマウスおよびヒトで行った実験から得られたマッピング情報を組み込むことができる。またリレーショナルデータベースは遺伝子およびタンパク質データベース、化学物質または薬剤データベース、医学情報データベース、および生物の寄託をはじめとする関連のリソースとリンクさせることもできる。さらにリレーショナルデータベースは、限定されるものではないが、適当なマッピング集団をデザインする助けとなるマッピング分解能の統計学的算出および遺伝子マッピングシミュレーションをはじめとする、マッピングデータの解析のためのインターフェースおよび方法を提供することもできる。
【００９３】
VII.  要約
要約すれば、本発明は遺伝子マッピングのための新規な集団およびその使用方法を提供する。上記のマッピング集団は遺伝的多様性および環境的多様性を最適化し、それにより大きな複合形質検出能を実現する。本発明はさらに、上記の集団を用いて、ある遺伝子座とある非遺伝因子の間の総合作用(この相互作用はある表現型を調節する)を同定する方法も提供する。また、遺伝子、遺伝子ネットワークおよび非遺伝因子間の上位の相互作用を調べる方法も提供される。
【実施例】
【００９４】
以下、実施例を示して本発明の様式を説明する。以下の実施例の特定の態様は、本共同発明者らが本発明の実施上十分機能することを見出した、あるいは認めた技術および手法という点で記載するものである。これらの実施例は共同発明者らの標準的な実験室での実践を示している。本開示ならびに当業者に通常のレベルを鑑みれば、当業者ならば以下の実施例が単に例示を意図したものであって、本発明の範囲を逸脱することなく多くの変化、改良および変更が可能であることが分かるであろう。
【００９５】
実施例1
組換え近交系の相互交配を用いた標的遺伝子の検出
15系統の異なる組換え近交系を相互交配させる。なおここで、起こりうる210の個々の交配のうち120を行うようにする。120の各交配を8回繰り返す。得られた960個体の遺伝的に多様な個体の再生可能な集団を用い、現行法より効率的な標的遺伝子の検出をシミュレートする(図3)。
【００９６】
実施例2
RIX集団の作出
独立した13系統のCXB組換え近交系のコレクションを用いて組換え近交系雑種を作出した(Bailey, 1971; Swank & Bailey, 1973; Potter et al., 1975; Hilgers et. al., 1985)。このCXB RI系統はBALB/cByJおよびC57BU/6ByJ由来のものである。組換え近交系雑種の作出に用いたペア交配の概略を図4に示す。78個体の非正逆組換え近交系雑種と8個体の正逆組換え近交系雑種を作出した。
【００９７】
「非正逆RIX雑種」とは、(a)第一のRI系統の雄個体と第二のRI系統の雌個体を相互交配するか、または(b)第二のRI系統の雄個体と第一のRI系統の雌個体を交配させることにより作出された雑種集団をさす。
【００９８】
「正逆RIX雑種」とは、第一のRI系統の雄個体と第二のRI系統の雌個体を相互交配させることにより雑種ペアの一方を作出し、第二のRI系統の雄個体と第一のRI系統の雌個体を相互交配させることにより雑種ペアの他方を作出するという、雑種ペアの一方の雑種をさす。
【００９９】
実施例3
体重に関するQTL解析
実施例2に記載したようにして作出したRIX雑種とRI親を用い、量的形質遺伝子座により制御される形態計測特性としての体重を解析した。CXB RI親の遺伝子型はWilliams et al. (2001) Genome Biology 2:0046.1-0046.18によって記載されており、RIX雑種(実施例2に記載のように作出)の遺伝子型は親の遺伝子型から推定した。体重に関連する遺伝子座の区間マッピングおよびコンポジット区間マッピングをマップマネージャーQTXプログラム(http://mapmgr.roswellpark.org/mmQTX.htmlで公開)を用いて解析した。Manly et al. (2001) Mamm Genome 12:930-932参照。
【０１００】
解析には、量的形質と遺伝子座の結びつきが統計学的に有意であるという尤度を評価するために当技術分野で通常の方法であるフリー回帰モデルを用いた。要するに、このモデルに従い、例えばB遺伝子座の「B対立遺伝子」というように各遺伝子座における対立遺伝子の付加作用および優性作用の評価を行う。付加作用および優性作用の大きさは回帰係数として表すが、標準的な最小二乗法を用い、その回帰相関がその形質のできる限り大きい変数を考慮するよう自由に変化させる。この回帰係数はB対立遺伝子の付加作用および優性作用の推定値を表す。B対立遺伝子の付加作用および優性作用の推定値はOと比べ、その回帰モデルのサンプルサイズと自由度の数を考慮して0からの差があるとすれば統計学的有意かどうかを評価する。
【０１０１】
「付加作用」とは、ある単一コピーの遺伝子変異体(対立遺伝子)を別の遺伝子変異体で置き換えることによる形質値における推定線形作用の推定値をさす。例えばある遺伝子について2つの対立遺伝子Bとbを考える場合、bb遺伝子型を有する場合の形質値は100であり、BB遺伝子型を有する場合の形質値は200であり、1つのb対立遺伝子を1つのB対立遺伝子で置き換える作用は50単位の上昇をもたらすと推定される。従ってB対立遺伝子の付加作用は50単位として表せる。逆に、b対立遺伝子の線形または付加作用は-50単位と表せる。
【０１０２】
「優性作用」とは、ある単一の遺伝子座における異型接合遺伝子型(Bb)の期待値からの偏差をさす。例えばある遺伝子について2つの対立遺伝子Bとbを考える場合、bb遺伝子型を有する場合の形質値は100であり、BB遺伝子型を有する場合の形質値は200であり、Bb遺伝子型を有する場合の平均形質値は150単位であると推定される。しかし、観測されたBb遺伝子型の平均形質値は175単位である。従ってこの場合B対立遺伝子の優性作用は+25単位として表せる。
【０１０３】
単純な遺伝系は簡単にモデリングできる。例えば、厳密な付加モデルにはどんなものであれB対立遺伝子の優性作用の係数を組み込まない。また、多遺伝子座非線形相互作用(例えば上位相互作用)、例えばB遺伝子座の対立遺伝子と他の1以上の遺伝子座の対立遺伝子間の相互作用を評価するモデルを開発することもできる。
【０１０４】
マップマネージャーQTXを用いて求められたマッピング結果は尤度比統計量として表し、これをLOD値へ手計算で変換した。「尤度比統計量」とは、本明細書では「LRS」と略し、その形質における分散(例えば体重の差)と特定の遺伝子座での遺伝的差異または遺伝子座間のある区間における遺伝的差異の間の統計的関係の強さの尺度をさす。LRS値はカイ二乗分布と同じように分布する。高いLRS値は無作為または偶然に関連づけが起こりにくいことを示す。LRSスコア≧10はある形質を調節する遺伝子座を示唆し、LRSスコア≧15であれば多くの場合統計学的に有意である。
【０１０５】
LRSスコアは、LRSスコアを4.6で割ることによりLODスコアへ変換することができる。検出された遺伝子座の有意性のレベルは当技術分野で典型的に用いられるLOD標準に基づいて評価した。LODスコア2は連鎖を示し、LODスコア3以上(例えば3、4、5)は有意な連鎖を示す。Lander & Botstein (1989) Genetics 121:185-199参照。
【０１０６】
RIX雑種集団の体重のQTL解析は、RI親のQTL解析に比べ、体重を制御する遺伝子座の検出および分解能の向上を示した。RI親では第4染色体上に単一の推定遺伝子座(LODスコア=2)が検出された(図5)。これに対し、RIX雑種のQTL解析では、4つの有意な遺伝子座(LODスコア≧3)と1つの推定遺伝子座(LODスコア=2)が明らかとなった。この4つの有意な遺伝子座のうちの1つは、RI親のQTL解析によって検出された同じ第4染色体の遺伝子座に相当する(図6A)。その他に有意な遺伝子座としては第6染色体(図6D)と第12染色体(図6C)に位置する。
【０１０７】
体重を制御する候補遺伝子は2-LOD信頼区間で確認された。当技術分野で標準的な方法によれば、2-LOD区間はピークLOD値から2LOD単位を差し引くことで求められる。この差し引きの解より大きな遺伝子座は全て2-LOD区間内であると考えられる。
【０１０８】
例えばRI親において体重を制御する遺伝子座をマッピングすると、遺伝子座D4Mit237の位置付近に約2.5のピークLODスコアが見られ(図5)、LODスコア＞0.5を有する周囲の遺伝子座はいずれも候補QTLと考えられる。従って、この候補QTLは第4染色体の約31.4cMゲノム領域にのっていて、遺伝子座D4Mit171(6.3cM)の位置付近から遺伝子座D4Mit80(37.7cM)の位置付近にわたるものと判断される。
【０１０９】
RIX雑種を用いてマッピングすると、候補QTLがのっている第4染色体のより小さな領域が定まる(図6A)。この場合には、遺伝子座D4Mit236(12.1cM)の位置付近にLOD最大値約5が見られる。最大LODスコアを中心とする2-LOD区間は、遺伝子座D4Mit95(7.5cM)の位置付近から遺伝子座D4Mit214(17.9cM)の位置付近の間の約7.4cMゲノム領域を含む。
【０１１０】
実施例4
脳重のQTL解析
脳重のQTL解析は実施例2に記載のようにして準備したRIX雑種およびRI親を用いて行った。連鎖は実施例3に記載のようにして調べた。体重を制御する遺伝子座の解析と同様に(実施例3)、RIX雑種のQTL解析もまた、親RI系統のQTL解析に比べ、脳重を制御する遺伝子座の検出および分解能の向上を示した。RI系統のQTL解析によって第11染色体上の単一の推定遺伝子座(LODスコア=2)が検出された(図7)。RIX雑種のQTL解析では、第5染色体上に1つの推定遺伝子座(LODスコア=2)(図8A)と第11染色体上に1つの有意な遺伝子座(LODスコア≧3)(図8B)が明らかになった。第11染色体上の第11染色体遺伝子座はRI親のQTL解析によって検出された第11染色体遺伝子座に相当する(図7)。
【０１１１】
本明細書の上記に示したように、脳重を制御するQTLはピークLODスコアによって定義された2-LOD区間内にあると推定される。例えば、RI親の脳重QTLをマッピングすると、遺伝子座D11Mit308(20.0cM)の位置付近から遺伝子座D11Mit122(53.0cM)の位置付近にわたる約33.0cMのゲノム区間が定まる(図7)。RIX雑種における脳重をマッピングすると、遺伝子座D11Mit29(40.0cM)の位置付近から遺伝子座D11Mit320(43.0cM)の位置付近にわたる約3.0cMのゲノム区間を含む染色体上のより小さな区間が定まる(図8B)。
【０１１２】
実施例5
QTL解析によって同定された遺伝子座のバリデーション
RIX雑種を用いて検出された遺伝子座をバリデートするため、第5染色体上の脳重に関連する推定遺伝子座D5Mit372を、BALB/cByJとC57BL/6ByJ親のF1相互交配によって作出された300個体のF2マウスにおいて候補遺伝子座として用いた。この遺伝子座は脳重に対して極めて有意な相関で容易に検出された(p＜7x10-7)。
【０１１３】
2-LOD区間内でQTLを同定するため、正逆コンジェニック系統を用いてそのQTLが存在するゲノム領域をさらに限局化した。例えば、Darvasi (1997) Mamm Genome 8:163-167およびDemant et al. (1986) Immunogenetics 24:416-422参照。
【０１１４】
ゲノム区間が約0.3cM未満に狭まれば、その区間に位置する遺伝子のリストをゲノムシーケンシングソース(例えばthe Human Genome Project, http://www.ncbi.nim.hih.gov/HGP/)から得ることができる。次に、候補遺伝子を、関連する表現型に寄与する際の役割に関して個々に試験する。
【０１１５】
実施例6
両親作用性遺伝子座の同定
また、RIXマッピングを用いて両親作用性遺伝子座を明らかにすることもできる。「両親作用性遺伝子座」とは、その遺伝子座の対立遺伝子が母方から遺伝した場合と父方から遺伝した場合で表現型に異なる作用を示す遺伝子座をさす。
【０１１６】
正逆交配によって作出されたRIX雑種を海馬重の違いに関して解析した。全てではないがいくつかの正逆交配については有意な差が見られ、このことはRIX雑種を用いて両親作用性遺伝子座を同定することができることを示す(図9)。
【０１１７】
両親作用性遺伝子座の存在を示唆する(有意に異なる表現型または表現型測定値を示す)正逆交配はさらに生殖細胞系両親作用(真の両親作用)と母方環境の親作用(宿主親作用)とを識別する試験を行うことができる。このアプローチによれば、正逆交配から得られた胚は中立的な代理母に移植する。表現型の違いがなお見られれば、その両親作用は生殖細胞系両親作用である。表現型の差が見られなければ、その両親作用は宿主親作用である。
【０１１８】
(参照文献)
発明の背景を説明するため、また、特定の場合における実施に関するさらなる詳細を示すために以下に挙げられ、かつ／または以上に示された刊行物およびその他の資料は出典明示により本明細書の一部とする。本明細書で用いた資料としては以下に挙げられる参照文献を含むが、これに限定されるものではない。
Akiyoshi S, Kanda H, Okazaki Y, Akama T, Nomura K, Hayashizaki Y & Kitagawa T (2000) A Genetic Linkage Map of the Msm Japanese Wild Mouse Strain with Restriction Landmark Genomic Scanning (RLGS). Mamm Genome 11:356-359.
Allard RW, Harding J & Wehrhahn C (1966) The Estimation and Use of Selective Values in Predicting Population Change. Heredity 21:547-563.
Ausubel F, ed (1995) Short Protocols in Molecular Biology, 3rd ed. Wiley, New York.
Bailey DW (1971) Recombinant-Inbred Strains. An Aid to Finding Identity, Linkage, and Function of Histocompatibility and Other Genes. Transplantation 11:325-327.
Bodanszky M (1993) Principles of Peptide Synthesis, 2nd rev. ed. Springer-Verlag, Berlin/New York.
Brookes AJ (1999) The Essence of SNPs. Gene 234:177-186.
Chen X, Livak KJ & Kwok PY (1998) A Homogeneous, Ligase-Mediated DNA Diagnostic Test. Genome Res 8:549-556.
Chen X, Levine L & Kwok PY (1999) Fluorescence Polarization in Homogeneous Nucleic Acid Analysis. Genome Res 9:492-498.
Cibelli JB, Stice SL, Golueke PJ, Kane JJ, Jerry J, Blackwell C, Ponce de Leon FA & Robl JM (1998) Cloned Transgenic Calves Produced from Nonquiescent Fetal Fibroblasts. Science 280:1256-1258.
Collins FS, Brooks LD & Chakravarti A (1998) A DNA Polymorphism Discovery Resource for Research on Human Genetic Variation. Genome Res 8:1229-1231.
Cronin MT, Fucini RV, Kim SM, Masino RS, Wespi RM & Miyada CG (1996) Cystic Fibrosis Mutation Detection by Hybridization to Light-Generated DNA Probe Arrays. Hum Mutat 7:244-255.
Darvasi A (1997) Interval-Specific Congenic Strains (ISCS): An Experimental Design for Mapping a QTL into a 1-Centimorgan Interval. Mamm Genome 8:163-167.
Demant P & Hart AA (1986) Recombinant Congenic Strains--a New Tool for Analyzing Genetic Traits Determined by More Than One Gene. Immunogenetics 24:416-422.
DiBerardino MA (1997) Genomic Potential of Differentiated Cells. Columbia University Press, New York.
Dietrich WF, Miller J, Steen R, Merchant MA, Damron-Boles D, Husain Z, Dredge R, Daly MJ, Ingalls KA, O'Connor TJ & et al. (1996) A Comprehensive Genetic Map of the Mouse Genome. Nature 380:149-152.
Fodor SP, Read JL, Pirrung MC, Stryer L, Lu AT & Solas D (1991) Light-Directed, Spatially Addressable Parallel Chemical Synthesis. Science 251:767-773.
Gentalen E & Chee M (1999) A Novel Method for Determining Linkage between DNA Sequences: Hybridization to Paired Probe Arrays. Nucleic Acids Res 27:1485-1491.
Griffin TJ, Hall JG, Prudent JR & Smith LM (1999) Direct Genetic Analysis by Matrix-Assisted Laser Desorption/Ionization Mass Spectrometry. Proc Natl Acad Sci U S A 96:6301-6306.
Hacia JG, Brody LC, Chee MS, Fodor SP & Collins FS (1996) Detection of Heterozygous Mutations in Brca 1 Using High Density Oligonucleotide Arrays and Two-Colour Fluorescence Analysis. Nat Genet 14:441-447.
Harlow E & Lane D (1988) Antibodies: A Laboratory Manual. Cold Spring Harbor Laboratory Press, Cold Spring Harbor, New York.
Hilgers J, van Nie R, Ivanyi D, Hilkens J, Michalides R, de Moes J, Poort-Keesom R, Kroezen V, von Deimling O, Kominami R & et al. (1985) Genetic Differences in BALB/C Sublines. Curr Top Microbiol Immunol 122:19-30.
Innis MA (1990) PCR Protocols: A Guide to Methods and Applications. Academic Press, San Diego.
Klysik J, Cai WW, Yang C & Bradley A (1999) An Integrated Gene and SSLP BAC Map Framework of Mouse Chromosome 11. Genomics 62:123-128.
Koduri S & Poola I (2001) Quantitation of Alternatively Spliced Estrogen Receptor Alpha mRNAs as Separate Gene Populations. Steroids 66:17-23.
Kruglyak L (1999) Prospects for Whole-Genome Linkage Disequilibrium Mapping of Common Disease Genes. Nat Genet 22:139-144.
Kwok PY (1998) Genotyping by Mass Spectrometry Takes Flight. Nat Biotechnol 16:1314-1315.
Landegren U, Kaiser R, Caskey CT & Hood L (1988) DNA Diagnostics-Molecular Techniques and Automation. Science 242:229-237.
Lander ES & Botstein D (1989) Mapping Mendelian Factors Underlying Quantitative Traits Using RFLP Linkage Maps. Genetics 121:185-199.
Livak KJ, Marmaro J & Todd JA (1995) Towards Fully Automated Genome-Wide Polymorphism Screening. Nat Genet 9:341-342.
Loutradis D, Drakakis P, Kallianidis K, Sofikitis N, Kallipolitis G, Milingos S, Makris N & Michalas S (2000) Biological Factors in Culture Media Affecting in Vitro Fertilization, Preimplantation Embryo Development, and Implantation. Ann N Y Acad Sci 900:325-335.
Lyamichev V, Mast AL, Hall JG, Prudent JR, Kaiser MW, Takova T, Kwiatkowski RW, Sander TJ, de Arruda M, Arco DA, Neri BP & Brow MA (1999) Polymorphism Identification and Quantitative Detection of Genomic DNA by Invasive Cleavage of Oligonucleotide Probes. Nat Biotechnol 17:292-296.
Lyon MF, Rastan S, Brown SDM & International Committee on Standardized Genetic Nomenclature for Mice. (1996) Genetic Variants and Strains of the Laboratory Mouse, 3rd ed. Oxford University Press, Oxford; New York.
Manly KF, Cudmore Jr RH & Meer JM (2001) Map Manager QTX, Cross-Platform Software for Genetic Mapping. Mamm Genome 12:930-932.
Nadeau JH, Singer JB, Matin A & Lander ES (2000) Analysing Complex Genetic Traits with Chromosome Substitution Strains. Nat Genet 24:221-225.
Nakagata N (2000) Cryopreservation of Mouse Spermatozoa. Mamm Genome 11:572-576.
Nyren P, Pettersson B & Uhlen M (1993) Solid Phase DNA Minisequencing by an Enzymatic Luminometric Inorganic Pyrophosphate Detection Assay. Anal Biochem 208:171-175.
Pastinen T, Kurg A, Metspalu A, Peltonen L & Syvanen AC (1997) Minisequencing: A Specific Tool for DNA Analysis and Diagnostics on Oligonucleotide Arrays. Genome Res 7:606-614.
Potter M, Pumphrey JG & Bailey DW (1975) Genetics of Susceptibility to Plasmacytoma Induction. I. BALB/CANN (C), C57BL/6n (B6), C57BL/KA (BK), (C Times B6) F1, (C Times BK) F1, and C Times B Recombinant-Inbred Strains. J Natl Cancer Inst 54:1413-1417.
Regan MR, Emerick MC & Agnew WS (2000) Full-Length Single-Gene cDNA Libraries: Applications in Splice Variant Analysis. Anal Biochem 286:265276.
Ross P, Hall L, Smirnov I & Haff L (1998) High Level Multiplex Genotyping by MALDI-TOF Mass Spectrometry. Nat Biotechnol 16:1347-1351.
Sambrook et al. e (1989) Molecular Cloning: A Laboratory Manual. Cold Spring Harbor Laboratory Press, Cold Spring Harbor.
Sapolsky RJ, Hsie L, Berno A, Ghandour G, Mittmann M & Fan JB (1999) High-Throughput Polymorphism Screening and Genotyping with High-Density Oligonucleotide Arrays. Genet Anal 14:187-192.
Schalkwyk LC, Jung M, Daser A, Weiher M, Walter J, Himmelbauer H & Lehrach H (1999) Panel of Microsatellite Markers for Whole-Genome Scans and Radiation Hybrid Mapping and a Mouse Family Tree. Genome Res 9:878-887.
Schena M, Shalon D, Heller R, Chai A, Brown PO & Davis RW (1996) Parallel Human Genome Analysis: Microarray-Based Expression Monitoring of 1000 Genes. Proc Natl Acad Sci U S A 93:10614-10619.
Schriml LM, Peterson RJ, Gerrard B & Dean M (2000) Use of Denaturing HPLC to Map Human and Murine Genes and to Validate Single-Nucleotide Polymorphisms. Biotechniques 28:740-745.
Schuler GD, Boguski MS, Stewart EA, Stein LD, Gyapay G, Rice K, White RE, Rodriguez-Tome P, Aggarwal A, Bajorek E, Bentolila S, Birren BB, Butler A, Castle AB, Chiannilkulchai N, Chu A, Clee C, Cowles S, Day PJ, Dibling T, Drouot N, Dunham I, Duprat S, East C, Hudson TJ & et al. (1996) A Gene Map of the Human Genome. Science 274:540-546.
Silhavy TJ, Berman ML, Enquist LW & Cold Spring Harbor Laboratory. (1984) Experiments with Gene Fusions. Cold Spring Harbor Laboratory, Cold Spring Harbor, New York.
Sun FZ & Moor RM (1995) Nuclear Transplantation in Mammalian Eggs and Embryos. Curr Top Dev Biol 30:147-176.
Swank RT & Bailey DW (1973) Recombinant Inbred Lines: Value in the Genetic Analysis of Biochemical Variants. Science 181:1249-1252.
Thornton CE, Brown SD & Glenister PH (1999) Large Numbers of Mice Established by in Vitro Fertilization with Cryopreserved Spermatozoa: Implications and Applications for Genetic Resource Banks, Mutagenesis Screens, and Mouse Backcrosses. Mamm Genome 10:987-992.
米国特許第4,707,448号
米国特許第5,114,847号
米国特許第5,445,934号
米国特許第5,629,158号
米国特許第5,643,782号
米国特許第5,958,624号
米国特許第5,965,352号
米国特許第5,994,619号
米国特許第6,011,197号
米国特許第6,096,555号
米国特許第6,107,543号
Van Etten WJ, Steen RG, Nguyen H, Castle AB, Slonim DK, Ge B, Nusbaum C, Schuler GD, Lander ES & Hudson TJ (1999) Radiation Hybrid Map of the Mouse Genome. Nat Genet 22:384-387.
Wakayama T, Perry AC, Zuccotti M, Johnson KR & Yanagimachi R (1998) Full-Term Development of Mice from Enucleated Oocytes Injected with Cumulus Cell Nuclei. Nature 394:369-374.
Wakayama T, RodriguezI, Perry AC, Yanagimachi R & Mombaerts P (1999) Mice Cloned from Embryonic Stem Cells. Proc Natl Acad Sci U S A 96:14984-14989.
Wakayama T, Shinkai Y, Tamashiro KL, Niida H, Blanchard DC, Blanchard RJ, Ogura A, Tanemura K, Tachibana M, Perry AC, Colgan DF, Mombaerts P & Yanagimachi R (2000) Cloning of Mice to Six Generations. Nature 407:318-319.
Wells C & Brown SD (2000) Genomics Meets Genetics: Towards a Mutant Map of the Mouse. Mamm Genome 11:472-477.
Williams R, Gu J, Qi S & Lu L (2001) The Genetic Structure of Recombinant Inbred Mice: High Resolution Consensus Maps for Complex Trait Analysis. Genome Biology 2:0046.1-0046.18.
Wilmut I, Schnieke AE, McWhir J, Kind AJ & Campbell KH (1997) Viable Offspring Derived from Fetal and Adult Mammalian Cells. Nature 385:810-813.
WO 9,858,050
本発明の様々な詳細は本発明の範囲を逸脱することなく変更することができることが分かるであろう。また、以上の記載は単に例示を目的とするものであって限定するものでなく、本発明はクレームによって定義される。
【図面の簡単な説明】
【０１１９】
【図１】組換え近交系の相互交配を用いて遺伝的に多様な個体の再生可能な集団を作出するためのアプローチの原型を示す。
【０１２０】
【図２】遺伝的に多様な個体の再生可能な集団を用いる遺伝子マッピング能の数式を示す。
【０１２１】
【図３】遺伝的に多様な個体の再生可能な集団(■)、または同じ個体数の組換え近交系集団(▲)を用いた標的遺伝子の検出能を図示する。
【０１２２】
【図４】QTL解析(実施例2に記載)に用いたRIX集団のグリッド表示である。
【０１２３】
【図５】示唆される体重との関連を示す、マウス第4染色体上の遺伝子座(D5Mit372)を示す染色体マップである。
【０１２４】
【図６Ａ】体重と有意に関連する、マウス第4染色体上の遺伝子座を示す染色体マップである。
【０１２５】
【図６Ｂ】体重と有意に関連する、マウス第6染色体上の2つの遺伝子座を示す染色体マップである。
【０１２６】
【図６Ｃ】体重と有意に関連する、マウス第12染色体上の遺伝子座を示す染色体マップである。
【０１２７】
【図７】示唆される脳重との関連を示す、マウス第11染色体上の遺伝子座を示す染色体マップである。
【０１２８】
【図８Ａ】示唆される脳重との関連を示す、マウス第5染色体上の遺伝子座を示す染色体マップである。
【０１２９】
【図８Ｂ】脳重と有意に関連する、マウス第11染色体上の遺伝子座を示す染色体マップである。
【０１３０】
【図９】CXB RIX雑種における海馬重のグリッド表示である。
【図１】
2004520820.tif 000004
【図２】
2004520820.tif 000005
【図３】
2004520820.tif 000006
【図４】
2004520820.tif 000007
【図５】
2004520820.tif 000008
【図６Ａ】
2004520820.tif 000009
【図６Ｂ】
2004520820.tif 000010
【図６Ｃ】
2004520820.tif 000011
【図７】
2004520820.tif 000012
【図８Ａ】
2004520820.tif 000013
【図８Ｂ】
2004520820.tif 000014
【図９】
2004520820.tif 000015
【国際公開パンフレット】
2004520820.tif 000016
2004520820.tif 000017
2004520820.tif 000018
2004520820.tif 000019
2004520820.tif 000020
2004520820.tif 000021
2004520820.tif 000022
2004520820.tif 000023
2004520820.tif 000024
2004520820.tif 000025
2004520820.tif 000026
2004520820.tif 000027
2004520820.tif 000028
2004520820.tif 000029
2004520820.tif 000030
2004520820.tif 000031
2004520820.tif 000032
2004520820.tif 000033
2004520820.tif 000034
2004520820.tif 000035
2004520820.tif 000036
2004520820.tif 000037
2004520820.tif 000038
2004520820.tif 000039
2004520820.tif 000040
2004520820.tif 000041
2004520820.tif 000042
2004520820.tif 000043
2004520820.tif 000044
2004520820.tif 000045
2004520820.tif 000046
2004520820.tif 000047
2004520820.tif 000048
2004520820.tif 000049
2004520820.tif 000050
2004520820.tif 000051
2004520820.tif 000052
2004520820.tif 000053
2004520820.tif 000054
2004520820.tif 000055
2004520820.tif 000056
2004520820.tif 000057
2004520820.tif 000058
2004520820.tif 000059
2004520820.tif 000060
2004520820.tif 000061
2004520820.tif 000062
2004520820.tif 000063
2004520820.tif 000064
2004520820.tif 000065
2004520820.tif 000066
2004520820.tif 000067
2004520820.tif 000068
2004520820.tif 000069
2004520820.tif 000070
2004520820.tif 000071
2004520820.tif 000072
【国際公開パンフレット（コレクトバージョン）】
2004520820.tif 000073
2004520820.tif 000074
【国際公開パンフレット（コレクトバージョン）】
2004520820.tif 000075
2004520820.tif 000076
【国際調査報告】
2004520820.tif 000077
2004520820.tif 000078
2004520820.tif 000079
2004520820.tif 000080
2004520820.tif 000081
2004520820.tif 000082